(57)【要約】　　　（修正有）【課題】持ち運びによる飯の片寄りを防止する為の装置を有する弁当箱を提供する。【解決手段】弁当入れ物本体内部２に凹凸突起仕切５，６を設けた物に弁当を詰める、弁当箱蓋１に凹凸突起仕切３，４を設けこの蓋を閉める。弁当箱蓋の凹凸突起仕切部分の抜き勾配及びＲ面のはみ出し体積で、適度の圧力が弁当入れ物５，６の凹凸突起に加わり、３，４及び５，６の凹凸突起が飯を挟み込み、持ち運ぶ角度によらず飯の重みを四方に分散して、炊き立ての不安定な飯を支え会い相乗効果のもとに飯の片寄りを防止する。使用後の洗浄は凹凸突起は角の無いＲ面構造であるので、スポンジ等で容易に洗浄ができる。おかず入れも、汁防止された二重蓋の構造で設けているので、薄いカバン等で本と一緒に持ち運びができる。【選択図】　図１
2004016777.tif 000002
【特許請求の範囲】
【請求項１】
弁当箱図１の蓋（１）の内側に（３）と（４）の凹凸仕切りを２個以上設けて、弁当入れ物図１の（２）の底面に（５）と（６）の凹凸仕切りを２個以上設けて、凹凸突起仕切りも、Ｒ面も飯に対する抜き勾配で曲面構造を設けける、弁当箱図１の蓋（１）の（３）と（４）の凹凸で幾何学的模様を作りだす図７飯平面図の美味、美食を誘う様に凹凸仕切りの形跡が美しく弁当の飯上面に作り出す様に形成機能を設ける、弁当入れ物図１の（２）に（５）と（６）凹凸突起仕切設けた弁当箱に、おかず入れれ（９）を設けておかず入れ中蓋（１０）を設る。
以上の如く構成された弁当箱。
【請求項２】
樹脂板上に図１（３）と（４）の凹凸仕切りを成形して、飯の上部に被せて図１（５）と（６）の凹凸成形した物を飯の下部に敷く。
以上の如く構成された、請求項１の弁当箱。
【発明の詳細な説明】
【０００１】
【発明の属する技術分野】
この発明は弁当箱の蓋と飯入れ物本体の上部と下部に凹と凸の突起を付けて飯の片寄りを無くして、密閉したおかず入れを一体化した装置を装着した事で持ち運ぶ角度及び状態によらず、飯の片寄りがせず、自由な持ち運びができる弁当箱の装置に関する物である。
【０００２】
【従来の技術】
従来の弁当箱は横（水平）に持ち運ぶ物で、その幅以上に手を広げて運ぶ物である手の疲れがひどく又人通りの多い所では、他人に迷惑を掛けるのを気にして動きにくいので不便である。
持ち運び方では飯が片側に片寄り人前では開けずらく、誰もが苦笑した経験ある事で、この解決策として考え出されたのが水平２段式弁当箱であるが、持ち広げ幅が半分に成っただけで、解消されていない。その上、デメリットが付加された、長方形角型でカバンに入らず外姿が悪く女性や会社員等に嫌われた弁当箱である。
次に考え出されたのが、飯に圧力を掛けて、押し固めた弁当箱であるが食べる時は餅風に成り、飯は適度の固さ以上になれば、飯の感覚がしない、これも日本古来の主食から掛け離れている物で、解決していない。
【０００３】
【本発明が解決しょうとする課題】
したがつて、各社メーカーも、弁当箱に対して膨大な研究費や試作費をついやして研究したが解決しなかった、解決しょうとする課題。
（イ）持ち運びが縦（垂直）持ち、横（水平）持ち、自由な角度で運搬して弁当の片寄りが発生しない事。
（ロ）書物と同様に薄いカバンに収納出来きる事。
（ハ）弁当箱特性で味と味覚を失わずに食欲誘う、弁当箱である事。
（ニ）弁当を詰めるのに特別な時間を必要としない事。
（ホ）飯の詰め込み硬さが良好で、美味しい弁当である事。
（ヘ）弁当製作者の真心が食する人に、伝わる弁当箱である事。
本発明は弁当を作る人、食べる人達の強い要望に答える為、発明された物である。
【０００４】
【課題を解決する為の手段】
今、その構成、を説明すると
（イ）　弁当蓋図１の（１）蓋、内側に（３）と（４）の凹凸の仕切りを設けた蓋をかぶせる。
（ロ）　図１のの弁当入れ物本体（２）内部底に設けた（５）と（６）の凹凸仕切りで飯の両面をはさみ込む、炊きたての水蒸気を含む飯は上段、下段の各々凹凸にそつて固定されると共に凹凸の数に飯の重量は分割されて片寄りしない状況を作り出す。弁当の飯の美味しさは、飯の盛り付けの固さにありるので本発明は余分な圧力を掛けて無い為、適度の飯の仕上がり状況で美味しい又蓋と弁当入れ物凹凸は角が無い、Ｒ面構造であるので、洗浄が簡単である。
（ハ）　図１の（８）でおかずが区分された、おかず入れ（９）を装備しそのおかず入れ物（９）を中区切り板にて（１１）で区切られている。
（ニ）　さらに中区切（１１）の中を中仕切り板（１２）にて小分けされいる。（ホ）　おかず入れ（９）はおかず入れ中蓋（１０）にて密閉される。
（ヘ）　弁当入れ物本体（２）とおかず入れ中蓋（１０）は図２の蓋内側（１５）図４、図５、図６各々、密閉用バツキン（１５）でさらに密閉される。
おかずは飯ほど水分を含まず、食材が各々固定している為、入れ場所が孤立しておれば、美味しく食られる。
（ト）　図１蓋（１）の蓋、止め具（１４）と図３蓋止め（１６）にて、各々２箇所で固定する。
（チ）　橋入れスライド式（１８）は弁当入れ物（２）に設ける。
以上の如く装置する弁当箱。
【０００５】
【発明の実施の形態】
次に本発明の実施の形態を延べると、弁当箱蓋（１）の内側に（３）と（４）の凹凸突起仕切りを２個以上を設けて、弁当入れ物本体図１の（２）の底面に（５）と（６）凹凸突起仕切りを２個以上を設けて、弁当箱に飯を詰める、弁当箱蓋（１）をかぶせる。
【０００６】蓋（１）と弁当入（２）で飯をはさむ事により、飯の重量が凹凸突起仕切りの数とその体積部だけ、飯自体の下部に加わる重量が　軽減されて持ち運びによる、振動で引き起される片寄りが防止される。
【０００７】また弁当箱が傾いた時、その凹凸突起仕切りの立体面積が飯を固定するくさび役をして、支えて、片寄りを防止する。
【０００８】
弁当箱図１の蓋（１）の内側（３）と（４）及び弁当入れ物（２）の（５）と（６）凹凸突起仕切りを各々２個以上設けて、凹凸突起仕切りとＲ面も飯に対する抜き勾配曲面構造を設けた物。蓋が固定する時、蓋と弁当入れ物本体に各々設けられた、凹凸突起仕切りとＲ面の抜き勾配体積が、飯全体に程よい圧力を加え飯を保持するくさび役と飯の片寄り防止役を一層強めると共に程よい圧力加減が美味を誘う蓋（１）を弁当入れ物（２）より外す時は（３）と（４）の抜き勾配である為又必要な力がいらず、簡単に外せる。
【０００９】
弁当箱図１の蓋（１）の内側（３）と（４）及び弁当入れ物（２）の（５）と（６）の凹凸仕切りの仕切り数と各々仕切りの高さは弁当箱の大きさにより調整できる。
【００１０】
弁当箱図１の蓋（１）の（３）と（４）で凹凸で作り出す様に施した、幾何学的模様、図７飯平面図で、今迄と違う弁当の美味、美食を誘う。
【００１１】
弁当箱で作るおにぎり、弁当箱図１の（２）に飯を詰めて、蓋（１）の（３）と（４）で凹凸仮り閉めする、箸で突いて穴を空ける、小物おかずを詰めて蓋をかぶせて固定し食する時、蓋を開けて図７飯平面図の凹の溝にそって箸を入れる、図８図９の部分を箸で押えて切れば底部分はきれいに取れて、１口にぎりの出来上がりである。
【００１２】
弁当入れ物図１の（２）に（５）と（６）凹凸突起仕切りをおかず入れ区切り板（８）で区切り、おかず入れ（９）を設けて、そのおかず入れ（９）をおかず入れ区切り板（１１）を設けて、おかず入れ区切り板（１１）にて区切り、その区切られた（１１）を中仕切り板（１２）設けて、中仕切り板（１２）でおかずを小分け仕切りする、おかず入れ（９）は、密閉おかず中蓋（１０）で密閉する。
【００１３】
弁当入れ物図１の（２）に（５）と（６）凹凸突起仕切を設けた、弁当箱に箸入れスライド式を設けている。
【００１４】
弁当箱蓋図１の（１）に、蓋止め具（１４）を設けて、蓋止め（１６）図３で、蓋（１）を固定する。
【００１５】
本発明の弁当箱は、弁当箱図１の（１）蓋及び弁当入れ物（２）は飯側に抜き勾配で洗う方向に広く成り又角に相当する所がＲ面構造で有り、角が無いので洗浄が簡単である。
【００１６】
本発明の弁当箱は持ち運びに、縦形（垂直）横形（水平）角度を選ばず作る人、食べる人に愛情を弁当と共に詰めて運ぶ弁当箱である。
以上の如く構成された、弁当箱。
【００１７】
樹脂板に（３）と（４）の凹と凸の突起を成形して、飯の上段部にかぶせて（５）と（６）の凹と凸の突起を成形して、飯の下段部に凹凸板を敷いた物。
以上の如く構成して、弁当箱の下部に敷き、上段にかぶせても同様な効果がある。
【００１８】
【発明の効果】
（イ）蓋内部に設けた凹凸突起区切りと弁当箱の入れ物底部に設けた凹凸突起区切で飯を挟み込む事により飯の重みを四方に分散させて飯の片寄りを防止する。
（ロ）飯の片寄りが無いので自由な持ち方ができて、持ち運びが楽である。
（ハ）適度の弁当圧力で美味しい食事ができる。
（ニ）おかず入れが二重蓋に成って、汁のこぼれの気ずかいが不要である。
（ホ）不必要な力の圧力で弁当がが出来ていないので、味の良い食事が出来る。
本発明は元来の持ち方、形態を変えた事で次の付加価値がある。
（ａ）飯が片寄らないので、薄いカバンに収納し本と一緒に持ち運びがてきる。
（ｂ）弁当箱の蓋を開けた時蓋の凹凸と区切り枠が美しい感覚を与える。
（ｃ）弁当を作った人の真心をそのまま食する人に感じさせる。
（ｄ）飯を食する時、飯の上部にある、凹凸の突起の跡形やＲ面の作り出した幾何学的模様にて、いつそう美味しさを与える。
（ｅ）飯の上部で、蓋の作り出した凹部に箸を入れる事により適度の大きさで切り取れて、その部分がにぎり寿司風に美しく、切り取れる。
（ｆ）飯を弁当に詰めて蓋をして、蓋を取り除き、飯上部、凸部分に箸で穴を作りその部分に簡単なおかず、色物調味を入れて乗せて再度蓋で閉じる。
食する為に蓋を明けて、飯の溝部を箸で切るとその部分が取れる、一口の握り寿司風の物が表れて、食する人をいっそう、楽しましてくれる。
【図面の簡単な説明】
【図１】本発明の平面透視図
【図２】本発明の蓋内部の平面図
【図３】本発明の弁当入れ物本体平面図
【図４】本発明の図１のＡ−Ａ矢印方向断面図
【図５】本発明の図１のＢ−Ｂ矢印方向断面図
【図６】本発明の図１のＣ−Ｃ矢印方向断面図
【図７】本発明の図１の飯入れ物本体、飯入れ平面図
【図８】本発明の図７のＤ−Ｄ矢印方向飯入れ断面図
【図９】本発明の図７のＥ−Ｅ矢印方向飯入れ断面図
【図１０】本発明のおかず入れ中蓋平面図
【図１１】本発明の図１０のＦ−Ｆ矢印方向断面図
【図１２】本発明の図１０のＧ−Ｇ矢印方向断面図
【図１３】本発明の図３の１２中仕切り板平面図
【図１４】本発明の図３の１２中仕切り板正面図
【図１５】本発明の図３の１２中仕切り板側面図
【符号の説明】
１は　蓋
２は　弁当入れ物本体
３は　蓋凹部分
４は　蓋凸部分
５は　弁当入れ物凹部分
６は　弁当入れ物凸部分
７は　飯入れ
８は　飯区切り板
９は　おかず入れ
１０は　おかず入れ中蓋
１１は　おかず入れ区切り板
１２は　おかず入れ中仕切り
１３は　中蓋開放爪
１４は　蓋止め具
１５は　密閉用パッキン
１６は　止め具当り
１７は　おかず中仕切りスライドガイド
１８は　箸入れ、スライド式
【図１】
2004016777.tif 000003
【図２】
2004016777.tif 000004
【図３】
2004016777.tif 000005
【図４】
2004016777.tif 000006
【図５】
2004016777.tif 000007
【図６】
2004016777.tif 000008
【図７】
2004016777.tif 000009
【図８】
2004016777.tif 000010
【図９】
2004016777.tif 000011
【図１０】
2004016777.tif 000012
【図１１】
2004016777.tif 000013
【図１２】
2004016777.tif 000014
【図１３】
2004016777.tif 000015
【図１４】
2004016777.tif 000016
【図１５】
2004016777.tif 000017